(57)【要約】【課題】部品点数を減らすことができ、作業の効率化、製造コスト低減化を図ることができる防護柵及び防護柵の構築方法を提供する。【解決手段】防護柵１０は、所定間隔をあけて地面Ｇに立設される支柱１と、この支柱１間に架け渡されるビーム２と、支柱１とビーム２とを連結する連結部材３と、を備えている。この連結部材３は、支柱１の外側面に連結され、支柱１の軸線を中心に回動可能な支柱連結部３１と、ビーム２を支柱１の軸線に対して直交する軸線を中心に所定の角度変更自在に連結するビーム連結部３２と、を備えている。【選択図】　　　　図１
2004011182.tif 000002
【特許請求の範囲】
【請求項１】
所定間隔をおいて地面に立設される複数の支柱と、この支柱間に架け渡されるビームと、前記支柱と前記ビームとを連結する連結部材と、を備えた防護柵であって、
前記連結部材は、前記支柱の外側面に連結され、前記支柱の軸線を中心に回動可能な支柱連結部と、
前記ビームを前記支柱の軸線に対して直交する軸線を中心に所定の角度変更自在に連結されるビーム連結部と、
を備えていることを特徴とする防護柵。
【請求項２】
前記ビーム連結部は、前記ビームの端部を外側から挟み込んで支持することを特徴とする請求項１に記載の防護柵。
【請求項３】
前記ビーム連結部の上方が開口されていることを特徴とする請求項１又は２に記載の防護柵。
【請求項４】
前記支柱の外側面は支柱カバーによって被覆され、前記支柱カバーは内側面に複数の突起を有することを特徴とする請求項１〜３のいずれか一項に記載の防護柵。
【請求項５】
前記支柱カバーは、木粉と樹脂とを混合し、この混合材料を溶融させて押出成形したものからなることを特徴とする請求項４に記載の防護柵。
【請求項６】
前記ビームの外側面はビームカバーによって被覆され、前記ビームカバーは内側面に複数の突起を有し、
前記ビーム連結部に連結される前記ビームの両端部は露出されていることを特徴とする請求項１〜５のいずれか一項に記載の防護柵。
【請求項７】
前記ビームカバーは、木粉と樹脂とを混合し、この混合材料を溶融させて押出成形したものからなることを特徴とする請求項６に記載の防護柵。
【請求項８】
前記ビーム連結部と前記ビームカバーの一端部とを覆い、前記ビームカバーの一端部と連結される連結部材カバーを備えることを特徴とする請求項６又は７に記載の防護柵。
【請求項９】
請求項１に記載の防護柵の構築方法であって、
内側面に複数の突起を有する支柱カバーを前記支柱に被覆し、
内側面に複数の突起を有し、前記ビームの両端部を露出させるビームカバーを前記ビームに被覆し、
前記支柱に前記支柱連結部を連結し、
前記ビーム連結部に、前記ビーム連結部と前記ビームカバーの一端部とを覆う連結部材カバーを設けた前記ビームを連結し、
前記連結部材カバーを前記ビーム連結部を覆い隠す位置まで移動させ、前記ビームカバーと前記連結部材カバーとを連結することを特徴とする防護柵の構築方法。
【発明の詳細な説明】
【０００１】
【発明の属する技術分野】
本発明は、防護柵及び防護柵の構築方法に関する。
【０００２】
【背景の技術】
従来、道路の傾斜地点やカーブ地点に設置される防護柵として、実公平４−２８９０３号公報に示すように、支柱に二つのブラケットを介してビームを上下、左右に角度変更自在に連結してなる防護柵が提案されている。これらのブラケットは、図５に示すように、第１ブラケット３００と第２ブラケット４００とが水平軸５００を介して連結されている。そして、第１ブラケット３００は支柱１００の表面形状に対応する支柱連結部３１０を有し、この支柱連結部３１０が支柱１００表面に当接した状態で支柱１００に連結され、第１ブラケット３００は、支柱連結部３１０に形成された長穴３３０の長さだけ水平方向に移動可能となっている。一方、第２ブラケット４００は、水平軸５００を中心として支柱１００の長手方向に回動可能となっている。よって、円弧状部４１０とビーム２００の内側面とを連結することにより、ビーム２００を上下、左右に動かすことができる。
【０００３】
【発明が解決しようとする課題】
しかしながら、上記従来技術においては、ビーム２００を上下、左右に移動させるため、第１ブラケット３００と第２ブラケット４００の二つの部品が少なくとも必要となり、作業効率化、及び製造コスト低減化を図るには限界があった。
【０００４】
そこで、本発明の課題は、部品点数を減らすことにより、更なる作業の効率化、製造コスト低減化を図ることができる防護柵及び防護柵の構築方法を提供することである。
【０００５】
【課題を解決するための手段】
上記課題を解決するため、請求項１記載の発明は、例えば、図１〜図４に示すように、所定間隔をおいて地面Ｇに立設される複数の支柱１と、この支柱１間に架け渡されるビーム２と、前記支柱１と前記ビーム２とを連結する連結部材３と、を備えた防護柵１０であって、前記連結部材３は、前記支柱１の外側面に連結され、前記支柱１の軸線を中心に回動可能な支柱連結部３１と、前記ビーム２を前記支柱１の軸線に対して直交する軸線を中心に所定の角度変更自在に連結されるビーム連結部３２と、を備えていることを特徴とする。
【０００６】
請求項１記載の発明によれば、一つの連結部材３が、支柱１の軸線を中心に回動可能な支柱連結部３１と、ビーム２を支柱１の軸線に対して直交する軸線を中心に所定の角度変更自在に連結するビーム連結部３２とを備えているので、支柱連結部３１の役割を担う部品とビーム連結部３２の役割を担う部品と別個に部品を分ける必要がなくなることとなって、部品点数を減らすことができ、作業の効率化、製造コスト低減化を図ることができる。
【０００７】
請求項２記載の発明は、例えば、図２〜図４に示すように、前記ビーム連結部３２は、前記ビーム２の端部を外側から挟み込んで支持することを特徴とする。
【０００８】
請求項２記載の発明によれば、ビーム連結部３２がビーム２の端部を外側から挟み込むことにより、ビーム２の端部はビーム連結部３２に覆われることとなって、ビーム２の端部の外部からの衝撃に対する耐久性を向上させることができる。
【０００９】
請求項３記載の発明は、例えば、図２〜図４に示すように、前記ビーム連結部３２の上方が開口されていることを特徴とする。
【００１０】
請求項３記載の発明によれば、ビーム連結部３２の上方が開口されていることにより、ビーム２を支柱１の軸線に対して直交する軸線を中心に上方へ所定の角度変更をするに際し、ビーム２がビーム連結部３２に接触してその動きが阻害されないので、ビーム２の角度変更可能な範囲を広げることができる。
【００１１】
請求項４記載の発明は、例えば、図３及び図４に示すように、前記支柱１の外側面は支柱カバー１２によって被覆され、前記支柱カバー１２は内側面に複数の突起１２ｔを有することを特徴とする。
【００１２】
請求項４記載の発明によれば、支柱１の外側面を支柱カバー１２で被覆することにより、支柱１が外部にさらされることがなくなって、支柱１の外部からの衝撃に対する耐久性を向上させることができる。また、支柱１が熱により膨張したり、収縮したりすることがあっても、複数の突起１２ｔにより、支柱１の膨張収縮による変化を受け止めることができるので、環境の変化に対応可能な防護柵１０とすることができる。また、突起１２ｔは、支柱カバー１２に加わった衝撃を抑えることができるので、耐久性に優れた防護柵１０とすることができる。
【００１３】
請求項５記載の発明は、例えば、図１，図３，図４に示すように、前記支柱カバー１２は、木粉と樹脂とを混合し、この混合材料を溶融させて押出成形したものからなることを特徴とする。
【００１４】
請求項５記載の発明によれば、支柱カバー１２は、木粉と樹脂とを混合し、この混合材料を溶融させて押出成形したものからなるので、支柱１の外部からの衝撃に対する耐久性を向上させることができる。また、木粉が含まれていることから、支柱カバー１２は見映えが木質調となり、自然に調和した防護柵１０とすることができる。
【００１５】
請求項６記載の発明は、例えば、図１，図３，図４に示すように、前記ビーム２の外側面はビームカバー２２によって被覆され、前記ビームカバー２２は内側面に複数の突起２２ｔを有し、前記ビーム連結部３２に連結される前記ビーム２の両端部は露出されていることを特徴とする。
【００１６】
請求項６記載の発明によれば、ビーム２の外側面をビームカバー２２で被覆することにより、ビーム２が外部にさらされることがなくなって、ビーム２の外部からの衝撃に対する耐久性を向上させることができる。また、ビーム２が熱により膨張したり、収縮したりすることがあっても、複数の突起２２ｔにより、ビーム２の膨張収縮による変化を受け止めることができるので、環境の変化に対応可能な防護柵１０とすることができる。また、突起２２ｔは、ビームカバー２２に加わった衝撃を抑えることができるので、耐久性に優れた防護柵１０とすることができる。さらに、ビーム２の両端部はビームカバー２２に覆われることなく露出しているので、ビーム連結部３２への連結作業を容易に行うことができる。
【００１７】
請求項７記載の発明は、例えば、図１，図３，図４に示すように、前記ビームカバー２２は、木粉と樹脂とを混合し、この混合材料を溶融させて押出成形したものからなることを特徴とする。
【００１８】
請求項７記載の発明によれば、ビームカバー２２は木粉と樹脂とを混合し、この混合材料を溶融させて押出成形したものからなるので、ビーム２の外部からの衝撃に対する耐久性を向上できる。また、木粉が含まれていることから、ビームカバー２２は見映えが木質調となり、自然に調和した防護柵１０とすることができる。
【００１９】
請求項８記載の発明は、例えば、図１，図３，図４に示すように、前記ビーム連結部３２と前記ビームカバー２２の一端部とを覆い、前記ビームカバー２２の一端部と連結される連結部材カバー４を備えることを特徴とする。
【００２０】
請求項８記載の発明によれば、ビーム連結部３２とビームカバー２２の一端部とを覆い、ビームカバー２２の一端部と連結される連結部材カバー３２を備えるので、連結部材３とビーム２との連結部分が覆われることとなって、ボルト等が外部に露出することがなくなり、見映えを向上させることができる。
【００２１】
請求項９記載の発明は、例えば、図１〜図４に示すように、請求項１記載の防護柵１０の構築方法であって、内側面に複数の突起１２ｔを有する支柱カバー１２を前記支柱１に被覆し、内側面に複数の突起２２ｔを有し、前記ビーム２の両端部を露出させるビームカバー２２を前記ビーム２に被覆し、前記支柱１に前記支柱連結部３１を連結し、前記ビーム連結部３２に、前記ビーム連結部３２と前記ビームカバー２２の一端部とを覆う連結部材カバー４を設けた前記ビーム２を連結し、前記連結部材カバー４を前記ビーム連結部３２を覆い隠す位置まで移動させ、前記ビームカバー２２と前記連結部材カバー４とを連結することを特徴とする。
【００２２】
請求項９記載の発明によれば、ビーム連結部３２に、ビーム連結部３２とビームカバー２２の一端部を覆う連結部材カバー４を設けたビーム２を連結し、連結部材カバー４をビーム連結部３２を覆い隠す位置まで移動させ、ビームカバー２２と連結部材カバー４とを連結するので、連結時に連結部材カバー４に連結作業を阻害されることがなく、連結作業を容易に行うことができる。また、連結後は、ビーム連結部３２を覆い隠すことで、連結部分のボルト等を外部に露出することがなくなり、見映えを向上させることができる。
【００２３】
【発明の実施の形態】
以下、図面を参照して本発明の実施の形態である防護柵及び防護柵の構築方法について詳細に説明する。
図１〜図４に示すように、防護柵１０は、例えば、車道と歩道との境界に立設されており、歩行者を自動車から守るために設けられている。この防護柵１０は、地面Ｇに所定の間隔をおいて立設される支柱１、支柱１間に架け渡されるビーム２、支柱１とビーム２とを連結する連結部材３等を備えている。
【００２４】
支柱１は、地面Ｇに対してほぼ垂直に立設されており、例えば、円筒状の鋼管から形成されている。支柱１の外側面には、外部衝撃等から支柱１を保護するための支柱カバー１２が取り付けられている。支柱カバー１２は、略円筒状で、木粉と樹脂とを混合して押出成形したものからなる。この支柱カバー１２の内側面には、複数の突起１２ｔが形成されている。
また、支柱１及び支柱カバー１２には、貫通する穴部１ｈ、穴部１２ｈとがそれぞれ二ヵ所に形成されており、各穴部１ｈ，１２ｈは支柱１の軸線に直交する軸線と同一軸線上に形成されている。
また、穴部１ｈ，１２ｈには、連結部材３を支柱１にボルトで連結するときの雌ネジ１５ｈが形成されたインナー管１５が挿通されている。また、インナー管１５は、穴部１ｈ，１２ｈに挿通したときに各端部が支柱カバー１２の外側面とほぼ面一となる長さとされており、例えば、鋼管から形成されている。
【００２５】
ビーム２は、地面Ｇに対してほぼ平行となるように両端部が支柱１に連結部材３を介して連結されており、例えば、円筒状の鋼管から形成されている。ビーム２の外側面には、ビームカバー２２が取り付けられている。ビームカバー２２は、略円筒状で、木粉と樹脂とを混合して押出成形したものからなる。このビームカバー２２の内側面には、複数の突起２２ｔが形成されている。このビームカバー２２の長さは、ビーム２よりも少し短くされ、ビーム２に取り付けたときにビーム２の両端部が外部に露出するようになっている。また、ビームカバー２２の両端部２２ａ，２２ｂの外側面には、複数のビス穴２２ｈが形成されており、後述する連結部材カバー４との連結時に用いられる。
また、ビーム２の両端部には、ビーム２を貫通する穴部２ｈ、２ｈが、二ヵ所に形成されている。この二つの穴部２ｈ、２ｈはビーム２の軸線に直交する軸線と同一軸線上に形成され、この穴部２ｈを介してビーム２は、連結部材３に連結されている。
【００２６】
連結部材３は、図２に示すように、支柱カバー１２の外側面に連結されており、例えば、側方の一部を切り欠いて上方を開口した略球体状の鋼製の金物で形成されている。この連結部材３は、支柱１の軸線を中心に回動可能な支柱連結部３１と、ビーム２を支柱１の軸線に対して直交する軸線を中心に所定の角度変更自在に連結するビーム連結部３２とを備えている。
【００２７】
支柱連結部３１は、支柱カバー１２の外側面に第一連結ボルトＢ１を介して取り付けられており、支柱１に当接する当接部３１ａの当接面が支柱１の外側面に合わせて湾曲した形状にされている。支柱連結部３１の当接部３１ａには、支柱１の周方向に沿って長尺な長穴部３１ｈが形成されている。そして、この長穴部３１ｈに第一連結ボルトＢ１が挿通されてこの第一連結ボルトＢ１が上述のインナー管１５の雌ネジ１５ｈに螺合されることにより、支柱連結部３１が支柱１に連結されている。
【００２８】
ビーム連結部３２は、内部空間を有する略球体形状のものからなり、支柱連結部３１と一体に形成されている。また、支柱連結部３１と反対側の部分を切り欠き、上方にかけて開口部Ｃが設けられていて、この開口部Ｃの幅は、少なくともビーム２の外径よりも大きく形成されている。また、ビーム連結部３２には、支柱１の軸線及びインナー管１５の軸線に直交する軸線を有し、ビーム２の端部の穴部２ｈに挿通される第二連結ボルトＢ２が設けられている。第二連結ボルトＢ２は、開口部Ｃに架け渡すように設けられており、両端部がビーム連結部３２内に納まるような長さのものが用いられている。
従って、ビーム連結部３２の内部にビーム２の端部を挿入して、ビーム２端部の穴部２ｈに第二連結ボルトＢ２を挿通することにより、ビーム連結部３２がビーム２の端部を外側から挟み込んで、第二連結ボルトＢ２の軸線を中心に支柱の長手方向に回動自在に支持されるようになっている。
【００２９】
また、ビーム連結部３２は、連結部材カバー４によって覆われている。
連結部材カバー４は、ビーム連結部３２とビームカバー２２の一端部２２ａとを覆い、ビームカバー２２の一端部２２ａと連結されている。連結部材カバー４は、円筒状に形成されており、アルミニウム等の金属材料から形成されている。この連結部材カバー４の一端部４ａの外側面には複数のビス穴４ｈが形成されており、上記ビス穴２２ｈと同径に形成されている。ビームカバー２２と連結部材カバー４は、互いのビス穴２２ｈ，４ｈにビスＳを挿通することによって連結されている。なお、連結部材カバー４は、アルミニウムに限らず、支柱カバー１２やビームカバー２２のように木粉と樹脂とを混合して押出成形したものから形成してもよい。
【００３０】
次に、防護柵１０の構築方法について説明する。
防護柵１０を構築するには、支柱カバー１２を取り付けた支柱１を所定の間隔をおいて地面Ｇに立設する。このとき、支柱１を立設する所定の間隔は、ビーム２が支柱１間に連結可能な間隔としておく。また、支柱１には、事前にインナー管１５を内蔵しておく。
次に、インナー管１５に支柱連結部３１の長穴部３１ｈを介して第一連結ボルトＢ１を長穴部にねじ込み、連結部材３を支柱カバー１２の外側面に取り付ける。この際、第一連結ボルトＢ１を長穴部３１ｈ内で移動させることにより、連結部材３を支柱１の軸線を中心に回動させて固定位置を調整した後、固定する。
次に、ビームカバー２２の両端部２２ａ，２２ｂに連結部材カバー４を嵌め込み、ビームカバー２２の外側面上を連結部材カバー４が移動可能とした状態で、ビーム２の両端部をビーム連結部３２の開口部Ｃから内部に挿入し、第二連結ボルトＢ２を用いてビーム２と連結部材３とを連結する。この際、ビーム２を支柱１の軸線に対して直交する軸線を中心に所定の角度変更調整した後、連結する。
次に、連結部材カバー４を、ビーム連結部３２を覆い隠す位置まで移動させ、ビス穴４ｈとビームカバー２２のビス穴２２ｈの位置を合わせた状態でビスＳを用いてビーム２と連結部材カバー４とを連結する。
以上の方法によって、防護柵１０は構築される。
【００３１】
本実施の形態によれば、一つの連結部材３が支柱連結部３１とビーム連結部３２とを備えているので、支柱連結部３１の役割を担う部品とビーム連結部３２の役割を担う部品と別個に部品を分ける必要がなくなることとなって、部品点数を減らすことができ、作業の効率化、製造コスト低減化を図ることができる。
また、ビーム連結部３２がビーム２の端部を外側から挟み込むことにより、ビーム２の端部はビーム連結部３２に覆われることとなって、ビーム２の端部の外部からの衝撃に対する耐久性を向上させることができる。
また、ビーム連結部３２の上方が開口されていることにより、ビーム２を支柱１の軸線に対して直交する軸線を中心に上方へ所定の角度変更をするに際し、ビーム２がビーム連結部３２に接触してその動きが阻害されないので、ビーム２の角度変更可能な範囲を広げることができる。
【００３２】
また、支柱１の外側面を支柱カバー１２で被覆し、ビーム２の外側面をビームカバー２２で被覆することにより、支柱１及びビーム２が外部にさらされることがなくなって、支柱１及びビーム２の外部からの衝撃に対する耐久性を向上させることができる。また、この支柱カバー１２及びビームカバー２２は木粉と樹脂とを混合し、この混合材料を溶融させて押出成形したものからなるので、支柱１及びビーム２の外部からの衝撃に対する耐久性を向上できる。また、木粉が含まれていることから、これらのカバーは見映えが木質調となり、自然に調和した防護柵１０とすることができる。
【００３３】
また、支柱１やビーム２が膨張したり、収縮したりすることがあっても、複数の突起１２ｔ，２２ｔが膨張収縮による支柱１やビーム２の変化に伴う力を受け止めるので、環境の変化に対応可能な防護柵１０とすることができる。また、突起１２ｔ，２２ｔは、支柱カバー１２やビームカバー２２に加わった衝撃を抑えることができるので、耐久性に優れた防護柵１０とすることができる。
また、ビーム２の両端部はビームカバー２２に覆われることなく露出しているので、ビーム連結部３２への連結作業を容易に行うことができる。
さらに、防護柵１０は、連結部材カバー４を備えるので、連結部分の第一連結ボルトＢ１や第二連結ボルトＢ２を外部に露出することがなくなり、見映えを向上させることができる。
【００３４】
なお、本発明は、上記実施の形態に限定されるものではない。例えば、支柱１間に連結されるビーム２の数は任意であり、支柱１の高さに応じて適宜変更可能である。また、支柱１やビーム２も円筒形状に限らず、四角柱形状や楕円筒形状としてもよい。また、連結部材３は、ビーム２を上述の二方向に動かすことができる機構を有していれば、その形状は問わない。また、突起１２ｔ，２２ｔの大きさは任意であり、支柱１やビーム２の外側面に当接していてもよいし、離れていてもよい。その他、本発明は、発明の要旨を逸脱しない範囲で設計変更、改良、組み合わせ等がなされた構造を包含するものである。
【００３５】
【発明の効果】
請求項１記載の発明によれば、一つの連結部材が、支柱連結部と、ビーム連結部とを備えているので、部品点数を減らすことができ、作業の効率化、製造コスト低減化を図ることができる。
【００３６】
請求項２記載の発明によれば、ビーム連結部がビームの端部を外側から挟み込むことにより、ビームの端部の外部からの衝撃に対する耐久性を向上させることができる。
【００３７】
請求項３記載の発明によれば、ビーム連結部の上方が開口されていることにより、ビームがビーム連結部に接触してその動きが阻害されないので、ビームの角度変更可能な範囲を広げることができる。
【００３８】
請求項４記載の発明によれば、支柱の外側面を支柱カバーで被覆することにより、支柱の外部からの衝撃に対する耐久性を向上させることができる。また、支柱が熱により膨張したり、収縮したりすることがあっても、複数の突起により、支柱の膨張収縮による変化を受け止めることができるので、環境の変化に対応可能な防護柵とすることができる。さらに、突起は、支柱カバーに加わった衝撃を抑えることができるので、耐久性に優れた防護柵とすることができる。
【００３９】
請求項５記載の発明によれば、支柱カバーは、木粉と樹脂とを混合し、この混合材料を溶融させて押出成形したものからなるので、支柱の外部からの衝撃に対する耐久性を向上できる。また、木粉が含まれていることから、支柱カバーは見映えが木質調となり、自然に調和した防護柵とすることができる。
【００４０】
請求項６記載の発明によれば、ビームの外側面をビームカバーで被覆することにより、ビームが外部にさらされることがなくなって、ビームの外部からの衝撃に対する耐久性を向上させることができる。また、ビームが熱により膨張したり、収縮したりすることがあっても、複数の突起により、ビームの膨張収縮による変化を受け止めることができるので、環境の変化に対応可能な防護柵とすることができる。また、突起は、ビームカバーに加わった衝撃を抑えることができるので、耐久性に優れた防護柵とすることができる。さらに、ビームの両端部はビームカバーに覆われることなく露出しているので、ビーム連結部への連結作業を容易に行うことができる。
【００４１】
請求項７記載の発明によれば、ビームカバーは木粉と樹脂とを混合し、この混合材料を溶融させて押出成形したものからなるので、ビームの外部からの衝撃に対する耐久性を向上できる。また、木粉が含まれていることから、ビームカバーは見映えが木質調となり、自然に調和した防護柵とすることができる。
【００４２】
請求項８記載の発明によれば、ビーム連結部とビームカバーの一端部とを覆い、ビームカバーの一端部と連結される連結部材カバーを備えるので、連結部材とビームとの連結部分が覆われることとなって、ボルト等が外部に露出することがなくなり、見映えを向上させることができる。
【００４３】
請求項９記載の発明によれば、連結部材カバーが外側面にはめ込まれたビームカバーで被覆されたビームの一端部を連結部材に連結し、連結部材カバーをビーム連結部を覆い隠す位置まで移動してビームカバーと連結部材カバーとを連結するので、連結時に連結部材カバーに連結作業を阻害されることがなく、連結作業を容易に行うことができる。また、連結後は、ビーム連結部を覆い隠すことで、連結部分のボルト等を外部に露出することがなくなり、見映えを向上させることができる。
【図面の簡単な説明】
【図１】本発明の実施の形態における防護柵の正面図である。
【図２】上記実施の形態における連結部材の斜視図である。
【図３】上記実施の形態における防護柵の一部を透視した縦断面図である。
【図４】上記実施の形態における防護柵の一部を透視した縦断面図、Ａ−Ａ断面図及びＢ−Ｂ断面図である。
【図５】従来技術における防護柵の連結部材の斜視図である。
【符号の説明】
１　　　支柱
２　　　ビーム
３　　　連結部材
４　　　連結部材カバー
１２　　支柱カバー
１２ｔ　突起
２２　　ビームカバー
２２ｔ　突起
３１　　支柱連結部
３２　　ビーム連結部
Ｇ　　　地面
【図１】
2004011182.tif 000003
【図２】
2004011182.tif 000004
【図３】
2004011182.tif 000005
【図４】
2004011182.tif 000006
【図５】
2004011182.tif 000007